(57)【要約】【課題】吊具本体と係止片とが強固に結合された樋吊り具を提供することにあり、特に吊り具本体の固定片部を曲げ調整した場合でも係止片の吊り具本体に対する固着強度が低下することのない樋吊り具を提供することにある。【解決手段】吊り具本体１０の後端に、軒樋２の後耳２ｂを係止する、ばね性を有した係止片２０が固着された樋吊り具１において、吊り具本体１０の後端には、下方に向けて開口し両側壁の内面が略ハ字形に開いた凹所１２が形成された基端部１１と、該基端部１１の後側壁部１１ｃより下方に延設された、吊り具本体１０を建築物に固定するための固定片部１８とを備えており、係止片２０は、その上端部が凹所１２の内面に沿うように、凹所１２に嵌合固着されている。【選択図】図１
2014125753.tif 000002
【特許請求の範囲】
【請求項１】
吊り具本体の後端に、軒樋の後耳を係止する、ばね性を有した係止片が固着された樋吊り具において、
前記吊り具本体の後端には、下方に向けて開口し両側壁の内面が略ハ字形に開いた凹所が形成された基端部と、該基端部の後端側の側壁部より下方に延設された、前記吊り具本体を建築物に固定するための固定片部とを備えており、
前記係止片は、その上端部が前記凹所の内面に沿うように、前記凹所に嵌合固着されていることを特徴とする樋吊り具。
【請求項２】
請求項１において、
前記吊り具本体は、前記軒樋の前耳を係止する前耳係止部を一体に備えていることを特徴とする樋吊り具。
【請求項３】
請求項１または２において、
前記吊り具本体が金属で製されていることを特徴とする樋吊り具。
【請求項４】
請求項１〜３のいずれか１項において、
前記係止片は、前記軒樋の後耳を前記凹所の後部側で係止する係止部と、前記軒樋の後耳を後方に向けて押圧するようにして該後耳の外れを防止する押さえ片部とを一体に備えた構造とされ、該係止部は前記固定片部に近接するように配されていることを特徴とする樋吊り具。
【請求項５】
請求項４において、
前記係止片の前記係止部に上下方向に向かうリブが形成されていることを特徴とする樋吊り具。
【発明の詳細な説明】
【技術分野】
【０００１】
本発明は、吊り具本体の後端に、軒樋の後耳を係止する、ばね性を有した係止片が固着された樋吊り具に関する。
【背景技術】
【０００２】
従来の樋吊り具としては、吊り具本体の後端の基端部に、ばね性を有した係止片をリベットなどで固着し、その係止片で軒樋の後耳を係止する構造のものがある（たとえば、特許文献１参照）。この特許文献１に記載された樋吊り具は、ビルなどの建物に取り付けられるもので、吊り具本体はその中央部が屋根などに吊り下げ固定されるようになっている。
【０００３】
ところで、住宅用の樋吊り具の場合、樋吊り具はその基端部が建物の壁などに固定されるような構造となったものがある。そのような樋吊り具では、樋吊り具の基端部に壁面に固着するための固定片部を下方に延設させる必要がある。なお、この固定片部としては、別体の座板を基端部より下方に延びた延設片にリベット止めもしくは溶接で一体化したものや、座板状の平板体を含んで固定片部として一体形成したものがある。
【０００４】
このような固定片部は、ほぼ水平に配される吊り具本体の本体片部に対してほぼ直角下方に延びるように折曲加工されており、取付対象となる壁面などの傾斜に応じて、固定片部を本体片部に対して角度が大きくなるように後方に曲げ調整することが可能となっている。
【先行技術文献】
【特許文献】
【０００５】
【特許文献１】実用新案登録第２５５９２７６号公報
【発明の概要】
【発明が解決しようとする課題】
【０００６】
しかしながら、固定片部を曲げて使用する場合には、固定片部が本体片部に対して角度が大きくなることにより、係止片の吊り具本体に対する固着強度が低下するおそれがある。それによって、軒樋の後耳の外れが発生する可能性もある。
【０００７】
本発明は、このような事情を考慮して提案されたもので、その目的は、吊具本体と係止片とが強固に結合された樋吊り具を提供することにあり、特に吊り具本体の固定片部を曲げ調整した場合でも係止片の吊り具本体に対する固着強度が低下することのない樋吊り具を提供することにある。また、樋吊り具を、より簡易で、かつ部品点数が少ない構成とすることを本発明のさらなる目的とする。
【課題を解決するための手段】
【０００８】
上記目的を達成するために、請求項１に記載の樋吊り具は、吊り具本体の後端に、軒樋の後耳を係止する、ばね性を有した係止片が固着された樋吊り具において、吊り具本体の後端には、下方に向けて開口し両側壁部の内面が略ハ字形に開いた凹所が形成された基端部と、該基端部の後端側の側壁部より下方に延設された、吊り具本体を建築物に固定するための固定片部とを備えており、係止片は、その上端部が凹所の内面に沿うように、凹所に嵌合固着されていることを特徴とする。
【０００９】
請求項２に記載の樋吊り具は、吊り具本体が軒樋の前耳を係止する前耳係止部を一体に備えていることを特徴とする。
【００１０】
請求項３に記載の樋吊り具は、吊り具本体が金属で製されていることを特徴とする。
【００１１】
請求項４に記載の樋吊り具は、係止片が、軒樋の後耳を前記凹所の後部側で係止する係止部と、軒樋の後耳を後方に向けて押圧するようにして該後耳の外れを防止する押さえ片部とを一体に備えた構造とされ、係止部は固定片部に近接するように配されていることを特徴とする。
【００１２】
請求項５に記載の樋吊り具は、係止片の係止部に上下方向に向かうリブが形成されていることを特徴とする。
【発明の効果】
【００１３】
請求項１に記載の樋吊り具によれば、上述の構成としたことにより、吊具本体と係止片とが強固に結合される。特に、吊り具本体の固定片部を曲げ調整した場合において係止片の吊り具本体に対する固着強度が低下することを防止できる。そのため、軒樋がぐらついたり、外れたりするおそれがない。
【００１４】
請求項２に記載の樋吊り具によれば、吊り具本体が軒樋の前耳を係止する前耳係止部を備えているので、樋吊り具を、より簡易で、かつ部品点数が少ない構成とすることができる。
【００１５】
請求項３に記載の樋吊り具によれば、吊り具本体が金属で製されているので、現場での曲げ加工を容易に行える。
【００１６】
請求項４に記載の樋吊り具によれば、係止片が、軒樋の後耳を前記凹所の後部側で係止する係止部と、軒樋の後耳を後方に向けて押圧するようにして該後耳の外れを防止する押さえ片部とを一体に備えた構造となっているので、係止片を１部材で構成でき、樋吊り具をさらに少ない部品点数で構成できる。
【００１７】
また、係止片の係止部が固定片部に近接するように配されているため、固定片部を曲げずに使用する場合には、係止片のばね性にもかかわらず、後耳を係止させる際に係止部が後方に撓むことを防止でき、軒樋の出し入れの繰り返しなどによる係止部の塑性変形も防止できる。その結果、取り付けた軒樋が容易に外れることを防止できる。
【００１８】
請求項５に記載の樋吊り具によれば、係止部に上下方向に向かうリブが形成されているため、固定片部を後方に曲げて係止部と固定片部との間を離間させた場合でも、係止部の強度を保持でき、後耳を係止させる際に係止部が後方に撓むことを防止できる。その結果、取り付けた軒樋が容易に外れることを防止できる。
【図面の簡単な説明】
【００１９】
【図１】本発明の実施形態に係る樋吊り具の分解斜視図である。
【図２】（ａ）は同樋吊り具の分解縦断面図、（ｂ）は同樋吊り具の取付状態を示す縦断面図である。
【図３】（ａ）、（ｂ）は同樋吊り具の使用態様の２例を示す模式説明図である。
【発明を実施するための形態】
【００２０】
以下に、本発明の実施形態について、添付図面を参照しながら説明する。
【００２１】
本実施形態の樋吊り具１は、図１および図２（ａ）に示すように、軒樋２を吊り支持する吊り具本体１０と、軒樋２の後耳２ｂを係止する、ばね性を有した係止片２０と、それら２部材を連結するリベット３０などの連結具とよりなる。
【００２２】
吊り具本体１０は、ステンレスなどの金属で製されており、住宅の壁面３等に取り付けた際に前方に突き出てほぼ水平状態となって軒樋２を吊り支持する帯板上の本体片部１０Ａと、壁面３等に固定される固定片部１８とを備えている。
【００２３】
本体片部１０Ａの後端の基端部１１は、上方に突出形成されており、その裏側には係止片２０を嵌合固着するための凹所１２が形成されている。基端部１１は、断面視で凹所１２をはさんでハ字形に下方に開口した形状とされており、本体片部１０Ａの本体部１３とほぼ平行な頂面部１１ａと、その頂面部１１ａの前後端より下方に延びた前側壁部１１ｂ、後側壁部１１ｃとを有した形状となっている。この頂面部１１ａのほぼ中央には、係止片とリベット３０で固定するための挿通孔１１ａｂが開設されている。
【００２４】
また、基端部１１の前方には、平板状に延びた本体部１３が形成され、本体部１３のさらに前方には、軒樋２の前耳２ａを係止する突起状の前耳係止部１４が形成されている。
【００２５】
また、本体片部１０Ａの幅方向の両端部には、本体部１３の前端部から基端部１１の頂面部１１ａにいたるまで、補強用の垂下片１６が形成されている。
【００２６】
固定片部１８は、壁面３にねじ固定するための複数の固定孔１８ａが形成された横長の長方形状の板体よりなり、本体片部１０Ａの基端部１１の後側壁部１１ｃの下端より連成されて、本体片部１０Ａと一体的に形成されている。本体片部としては、基端部１１より下方に延びた延設片に別体の座板をリベットなどで固着した構成としてもよい。
【００２７】
また、この吊り具本体１０には、前耳係止部１４から本体部１３の前端部まで、および本体部１３の後端部から基端部１１の頂面部１１ａの前端部まで１条の補強用のリブ１５が形成され、基端部１１の後端部から固定片部１８の高さ方向の中央よりやや下方まで２条の補強用のリブ１５が形成されている。これらのリブ１５、１５、・・・は、本体片部１０Ａのリブ１５については下方（裏側）に突出し、固定片部１８のリブ１５については前方に突出している。
【００２８】
係止片２０は、ばね性を有した金属薄板を折曲加工してなり、軒樋２の後耳２ｂを係止する係止部２２と、軒樋２の後耳２ｂを後方に向けて押圧するようにして後耳２ｂの外れを防止する押さえ片部２３と、上端部に山形状に配されて吊り具本体１０に固着される固着部２１とを一体に備えている。これらに囲まれた裏側空間が、軒樋の後耳を収容する後耳収容空間２４を構成する。
【００２９】
固着部２１は、断面視でハ字形に下方に開いており、吊り具本体１０の凹所１２に嵌合できる、中央にリベット挿通用の挿通孔２１ａａを有した頂部２１ａと、前、後傾斜部２１ｂ、２１ｃとを有している。
【００３０】
また、係止部２２は、固着部２１の後傾斜部２１ｃの下端より下方に延びた垂下部２２ａと、その垂下部２２ａの下端から前方に向けて折曲延設された耳掛部２２ｂと、耳掛部２２ｂの前端より下方に折曲延設された垂片部２２ｃとを備えている。この垂片部２２ｃの下端部には後方に傾斜した、後耳の挿入ガイド用のガイド部２２ｃａが形成されている。
【００３１】
押さえ片部２３は、固着部２１の前傾斜部２１ｂの下端より下方に延びた垂下部２３ａと、その垂下部２３ａの下端より後方に向けて折曲延設された押圧部２３ｂとを備えている。この押圧部２３ｂの先端中央には半円状の切欠き部２３ｂａが形成されている。なお、この切欠き部２３ｂａは、係止片２０を吊り具本体１０に固着させる際のリベット止め操作用の凹部である。
【００３２】
耳掛部２２ｂと押圧部２３ｂの高さ位置はほぼ同じであり、それらの間には、軒樋２の後耳２ｂの厚さ寸法よりも小さく、後耳２ｂが抜け落ちない程度の挿入間隙２５が形成されている。
【００３３】
この係止片２０には、固着部２１の頂部２１ａの後端部から後傾斜部２１ｃ、垂下部２２ａ、耳掛部２２ｂを経由して、垂片部２２ｃにいたるまで２条の補強用のリブ２６、２６が形成されている。これらのリブ２６、２６は後耳収容空間２４側に突出している。
【００３４】
以上に説明した吊り具本体１０と係止片２０とは、吊り具本体１０の凹所１２に係止片２０の固着部２１が嵌合し、挿通孔１１ａｂ、２１ａａ同士にリベット３０を挿通取り付けして、図２（ｂ）に示すように結合される。
【００３５】
図２（ｂ）に示すように、両部材が連結された状態では、係止片２０の上端部（固着部２１）は吊り具本体１０の凹所１２の内面に沿うように、隙間がほとんどない状態でほぼ密着するように固着される。
【００３６】
こうして両部材が連結され、固定片部１８が壁面３に固定された樋吊り具１には、図２（ｂ）に示すように、軒樋２は、その前耳２ａが前耳係止部１４に掛止され、後耳２ｂが係止片２０の係止部２２に掛止されて、吊り支持される。
【００３７】
後耳２ｂを係止片２０の後耳収容空間２４に収容させる際には、押さえ片部２３が図２（ｂ）中の２点鎖線のように弾性変形することで、後耳２ｂを収容することができ、その後、後耳２ｂが係止部２２に嵌まり込むと、押さえ片部２３の押圧部２３ｂの先端が軒樋２の後耳２ｂの内側を押圧する。
【００３８】
このようにして、軒樋２は樋吊り具１に吊り支持される。
【００３９】
以上に説明したように、この樋吊り具１は、吊り具本体１０と係止片２０とが密着するように嵌合して結合する構造となっているため、１箇所をリベット止めするだけでも強固な結合関係が生まれる。そのため、、軒樋２がぐらついたり、外れたりするおそれがない。特に、係止片２０の係止部２２が後方にずれないようになっているので、後耳２ｂが抜け落ちるおそれはほとんどなく、軒樋２の吊り支持の強度は高い。
【００４０】
また、この樋吊り具１は、吊り具本体１０が軒樋２の前耳２ａを係止する前耳係止部１４を備え、後耳係止部については係止片２０を固着することで構成されているので、さらにそれらの部材を固着する連結具を含み３点と少ない部品点数で構成できる。そのため、製造コストも低減でき、部品管理の手間も削減できる。
【００４１】
さらに、この樋吊り具１は、樋吊り具１を模式的に表わした図３に示すように、吊り具本体１０の固定片部１８を後方に曲げることで傾斜した壁面３に取り付けることもできる。つまり、吊り具本体１０自体が金属で形成されているため、固定片部１８はその根元から簡単に曲げることができ、壁面３の傾斜に合わせて本体片部１０Ａの本体部１３を水平となるように設置できる。
【００４２】
また、図３（ｂ）のように固定片部１８を後方に曲げた場合、係止片２０の係止部２２（垂下部２２ａ）の後方に空間ができるが、係止片２０の固着部２１は吊り具本体１０のハ字形の凹所１２に嵌合、固着されているので、係止片２０がずれ動くことはない。
【００４３】
特に、係止片２０自体はばね性を有し押さえ片部２３は弾性変形できる構成となっているが、係止部２２にはリブ２６が形成されているので、軒樋２の後耳２ｂを係止片２０に取り付ける際に係止部２２が後方に撓んだり、塑性変形したりするおそれはない。また、軒樋２を取り付けた後も、係止部２２が後方にずれるおそれはないため、軒樋２が外れることはない。
【００４４】
また、このように係止片２０は、係止部２２と押さえ片部２３とが一体成形されているので、係止部２２と押さえ片部２３との間の挿入間隙２５の間隔を一定とすることができ、軒樋２の後耳２ｂの取り付けやすさを一定にすることができる。
【符号の説明】
【００４５】
１        樋吊り具
１０      吊り具本体
１１      基端部
１１ａ    頂面部
１１ｂ    前側壁部
１１ｃ    後側壁部
１２      凹所
１３      本体部
１４      前耳係止部
１８      固定片部
２０      係止片
２１      固着部
２１ａ    頂部
２１ｂ    前傾斜部
２１ｃ    後傾斜部
２２      係止部
２３      押さえ片部
２４      後耳収容空間
２５      挿入間隙
２６      リブ
３０      リベット（連結具）
２        軒樋
２ａ      前耳
２ｂ      後耳
３        壁面
【図１】
2014125753.tif 000003
【図２】
2014125753.tif 000004
【図３】
2014125753.tif 000005